(57)【要約】【課題】玄関に上階に至る階段を配置した玄関構造において、玄関ホールより奥側に階段配置用のスペースを確保しなくてもよい玄関構造を提供する。【解決手段】玄関２に上階に至る階段１５を配置し、この階段１５の少なくとも一部は、中桁２０ａとこの中桁２０ａの長手方向に所定間隔で設けられた複数の段板２０ｂとを備えたストリップ階段２０であり、このストリップ階段２０の少なくとも一部が、玄関土間６の上方に配置されているので、その分、玄関ホール５より奥側に階段１５を配置するためのスペースを確保する必要がない。したがって、従来に比して、玄関以外の部屋等のレイアウトが制限されることがない。【選択図】図３
2009235688.tif 000002
【特許請求の範囲】
【請求項１】
玄関に上階に至る階段を配置した玄関構造において、
前記階段の少なくとも一部は、中桁とこの中桁の長手方向に所定間隔で設けられた複数の段板とを備えたストリップ階段であり、
前記ストリップ階段の少なくとも一部が、玄関土間の上方に配置されていることを特徴とする玄関構造。 
【請求項２】
請求項１に記載の玄関構造において、
前記ストリップ階段の上端部が前記玄関土間の上方に配置されており、残りの部分が前記玄関ホールの上方に配置されていることを特徴とする玄関構造。 
【請求項３】
請求項２に記載の玄関構造において、
前記ストリップ階段は、前記玄関の一方の側壁に沿って配置されており、
前記玄関ホールには、一方の側壁側から玄関ホール側に曲がる曲り階段を有するユニット階段が設置されており、このユニット階段の曲り階段に、前記ストリップ階段の下端部が接続されていることを特徴とする玄関構造。 
【請求項４】
請求項３に記載の玄関構造において、
前記玄関の正面に設けられた出入口を開閉する戸が引戸となっており、この引戸は玄関の他方の側壁側に引かれることにより、前記出入口を開放することを特徴とする玄関構造。  
【請求項５】
請求項１〜４のいずれか一項に記載の玄関構造において、
前記玄関土間の上方には、玄関上の階の天井まで吹き抜ける吹抜け部が設けられていることを特徴とする玄関構造。
【発明の詳細な説明】
【技術分野】
【０００１】
本発明は、玄関にストリップ階段を配置してなる玄関構造に関する。
【背景技術】
【０００２】
玄関ホールに２階に至る階段を配置した玄関構造の一例として、特許文献１および特許文献２に記載のものが知られている。
これら文献に記載されている玄関構造では、玄関ホールに設けられた２階に至る階段は直階段であり、２階に上るにつれて玄関ホールから遠ざかるようになっている。
【特許文献１】特開平７−１８９５０６号公報
【特許文献２】特開平７−１３９１９３号公報
【発明の開示】
【発明が解決しようとする課題】
【０００３】
ところで、上記従来の玄関構造では、階段が上階（２階）に上るにつれて玄関ホールから遠ざかるようになっているので、玄関ホールより奥側に階段配置用のスペースを確保する必要があり、その分、１階の玄関以外の部屋等のレイアウトが制限されることになる。
特に、アパートのように、床面積が比較的狭い住宅では、階段によって部屋等のレイアウトをなるべく制限されないようにしたいという要望がある。
【０００４】
本発明は上記事情に鑑みてなされたもので、玄関に上階に至る階段を配置した玄関構造において、玄関ホールより奥側に階段配置用のスペースを確保しなくてもよい玄関構造を提供することを課題としている。
【課題を解決するための手段】
【０００５】
上記課題を解決するために、請求項１に記載の発明は、例えば図１〜図３に示すように、玄関２に上階に至る階段１５を配置した玄関構造において、
前記階段１５の少なくとも一部は、中桁２０ａとこの中桁２０ａの長手方向に所定間隔で設けられた複数の段板２０ｂとを備えたストリップ階段２０であり、
前記ストリップ階段２０の少なくとも一部が、玄関土間６の上方に配置されていることを特徴とする。
【０００６】
請求項１に記載の発明によれば、玄関２に配置されたストリップ階段２０の少なくとも一部が、玄関土間６の上方に配置されているので、その分、玄関ホール５より奥側に階段１５を配置するためのスペースを確保する必要がない。したがって、従来に比して、玄関以外の部屋等のレイアウトが制限されることがない。
また、階段１５の少なくとも一部が、中桁２０ａとこの中桁２０ａの長手方向に所定間隔で設けられた複数の段板２０ｂとを備えたストリップ階段２０であるので、ストリップ階段２０の少なくとも一部が、玄関土間６の上方に配置されていても、段板２０ｂ，２０ｂ間から玄関土間６に採光を確保できるので、玄関土間６が暗くなるのを防止できる。
【０００７】
請求項２に記載の発明は、請求項１に記載の玄関構造において、
前記ストリップ階段２０の上端部が前記玄関土間６の上方に配置されており、残りの部分が前記玄関ホール５の上方に配置されていることを特徴とする
【０００８】
請求項２に記載の発明によれば、ストリップ階段２０の上端部が玄関土間６の上方に配置されているので、玄関土間６の床面とストリップ階段２０の上端部との間が、比較的高さの高い空間となり、この空間を物置等として利用できる。
また、ストリップ階段２０の残りの部分が玄関ホール５の上方に配置されているが、この玄関ホール５の上方でかつストリップ階段下の空間は、玄関土間６の床面とストリップ階段２０の上端部との間の高さの高い空間と連続するので、使い勝手がよい。
【０００９】
請求項３に記載の発明は、請求項２に記載の玄関構造において、
前記ストリップ階段２０は、前記玄関２の一方の側壁２ａに沿って配置されており、
前記玄関ホール５には、一方の側壁２ａ側から玄関ホール５側に曲がる曲り階段２１ａを有するユニット階段２１が設置されており、このユニット階段２１の曲り階段２１ａに、前記ストリップ階段２０の下端部が接続されていることを特徴とする。
【００１０】
請求項３に記載の発明によれば、ストリップ階段２０が玄関の一方の側壁２ａに沿って配置されているので、ストリップ階段２０によって玄関２がさほど圧迫されることがない。また、ストリップ階段２０の下端部が、ユニット階段２１の曲り階段２１ａに接続されているので、玄関ホール５の中央部から曲り階段２１ａを介してストリップ階段２０を容易に使用できる。
【００１１】
請求項４に記載の発明は、請求項３に記載の玄関構造において、
前記玄関２の正面に設けられた出入口２４を開閉する戸が引戸２５となっており、この引戸２５は玄関２の他方の側壁１ｃ側に引かれることにより、前記出入口２５を開放することを特徴とする。
【００１２】
請求項４に記載の発明によれば、玄関２の正面に設けられた引戸２５が、玄関２の他方の側壁２ｃ側に引かれることにより、玄関２の出入口２４を開放するので、この玄関２の出入口２４からストリップ階段２０の上端部と玄関土間６の床面との間のスペースに、容易に物品を出し入れできる。
【００１３】
請求項５に記載の発明は、請求項１〜４のいずれか一項に記載の玄関構造において、
前記玄関土間６の上方には、玄関上の階の天井まで吹き抜ける吹抜け部２６が設けられていることを特徴とする。
【００１４】
請求項５に記載の発明によれば、玄関土間６の上方に、玄関上の階の天井まで吹き抜ける吹抜け部２６が設けられているので、この吹抜け部２６から玄関土間６に採光を確保でき、玄関２に、ストリップ階段２０をその少なくとも一部が、玄関土間６の上方に位置するように配置しても、玄関土間６を明るくすることができる。
【発明の効果】
【００１５】
本発明によれば、玄関に配置された上階に至る階段の少なくとも一部が中桁とこの中桁の長手方向に所定間隔で設けられた段板とを備えたストリップ階段であり、このストリップ階段の少なくとも一部が、玄関土間の上方に配置されているので、玄関ホールより奥側に階段を配置するためのスペースを確保する必要がない。したがって、従来に比して、玄関以外の部屋等のレイアウトが制限されることがない。
また、階段が、中桁とこの中桁の長手方向に所定間隔で設けられた段板とを備えたストリップ階段であるので、ストリップ階段の少なくとも一部が、玄関土間の上方に配置されていても、段板間から玄関土間に採光を確保できるので、玄関土間が暗くなるのを防止できる。
【発明を実施するための最良の形態】
【００１６】
以下図面を参照して本発明の実施の形態について説明する。
図１は本発明に係る玄関構造を備えた住宅の１階の平面図、図２は同２階の平面図、図３は玄関構造を示す斜視図である。
まず、本発明に係る玄関構造を説明する前に、この玄関構造を備えた住宅の概要について、簡単に説明する。
図１および図２に示すように、住宅は、メゾネットタイプのアパートであり、２つの住戸１，１が左右に隣接して配置されている。
２つの住戸１，１は左右対称的であるので、以下では左側（西側）の住戸１やその玄関構造について説明し、右側の住戸１やその玄関構造について、左側のものと同一構成部分には、同一符号を付してその説明を省略する。
【００１７】
図１に示すように、住戸１の１階には、北側に玄関２、南側に寝室３が配置されており、玄関２と寝室３との間に廊下４が配置されている。
玄関２は、玄関土間５と玄関ホール６とを備えており、玄関土間５は玄関ホール６より１段低くなっている。玄関土間５は玄関ホール６より広く形成されており、玄関土間５には、靴入れ収納部７や収納部８が配置されている。
また、玄関ホール６には、トイレ９や洗面台１０が配置されている。廊下４の一方の側には浴室１１が配置されており、他方の側には収納部１２が配置されている。
玄関２には、階段１５が配置されており、この階段１５によって１階と２階との間を行き来するようになっている。
【００１８】
２階には、図２に示すように、北側にキッチン１６が配置されており、南側に居間１７が配置されている。キッチン１６には、階段１５の下り口１５ａが隣接配置されており、この下り口１５ａに面して収納部１８が配置されている。また、キッチン１６の南側の一部と居間１７の北側の一部の上方には、ロフト１９が配置されており、このロフト１９と居間１７の床との間には図示しない梯子が設けられている。
【００１９】
次に、本発明に係る玄関構造について、図１および図３を参照して説明する。
まず、前記階段１５は、ストリップ階段２０と、このストリップ階段２０の下端部側に配置されたユニット階段２１とから構成されている。
ストリップ階段２０は、図３に示すように、中桁２０ａとこの中桁２０ａの長手方向に所定間隔で設けられた段板２０ｂとを備えている。中桁２０ａは２本の四角筒状の金属製の桁材を平行に所定の隙間をもって配置することによって構成されており、この中桁２０ａに、複数の段板２０ｂが所定間隔で複数取り付けられている。また、中桁２０ａの上端部は、２階の床に固定されており、下端部はユニット階段２１内に挿入されたうえで、１階の床（玄関ホール５の床）に固定されている。
また、ストリップ階段２０は玄関２の一方の側壁２ａに沿って配置されており、この側壁２ａには、手摺２２が取り付けられている。また、ストリップ階段２０の各段板２０ｂの、前記側壁２ａと反対側の端部には、上下に延在する複数の手摺子２３がそれぞれ固定されており、これら手摺子２３は２階の天井まで延出されて該天井に固定されている。
【００２０】
前記ストリップ階段２０の上端部は、玄関土間６の上方に配置されており、残りの部分は玄関ホール５の上方に配置されている。
玄関ホール５には、前記ユニット階段２１が前記側壁２ａに当接して配置されている。ユニット階段２１は、略箱状に形成され、かつ下面が開口しているものであり、前記側壁２ａ側から玄関ホール２側に向けて曲がる曲り階段２１ａを有している。曲り階段２１ａは３段の段板２１ｂ・・・を備えており、最上段の段板２１ｂにストリップ階段２０が接続されている。つまり、ストリップ階段２０の中桁２０ａの下端部は、ユニット階段２１の最上段の段板２１ｂの縁部を貫通して、ユニット階段２１内に挿入されたうえで、このユニット階段２１の内において玄関ホール５の床に固定されている。そして、ストリップ階段２０の最下段の段板２０ｂの斜め下方に、ユニット階段２１の最上段の段板２１ｂが位置している。これによって、ユニット階段２１とストリップ階段２０とが連続した階段１５となっている。
【００２１】
また、玄関２の正面の壁２ｂには、出入口２４が形成されており、この出入口２４は引戸２５によって開閉されるようになっている。つまり、引戸２５は壁２ｂの内側（玄関ホ土間５側）の壁面に沿って左右にスライド可能に配置されており、玄関２の他方の側壁２ｃ側に引かれることによって、出入口２４を開放するようになっている。
【００２２】
また、玄関土間６の上方には、玄関上の２階の天井まで吹き抜ける吹抜け部２６が設けられている。この吹抜け部２６は、玄関２の正面の壁２ｂに沿って上方に吹き抜けており、２階においては、図２に示すように、壁２ｂに窓２７が形成されている。また、２階において、吹抜け部２６とキッチン１６とを仕切る壁２８の一部は、腰壁２８ａとなっており、その上から玄関土間６の様子を知ることができるようになっている。
【００２３】
本実施の形態の玄関構造によれば、玄関２に配置されたストリップ階段２０の上端部が、玄関土間６の上方に配置されているので、その分、玄関ホール５より奥側に階段１５を配置するためのスペースを確保する必要がない。したがって、従来に比して、玄関以外の部屋等のレイアウトが制限されることがない。
また、階段１５の一部が、中桁２０ａとこの中桁２０ａの長手方向に所定間隔で設けられた複数の段板２０ｂとを備えたストリップ階段２０であるので、ストリップ階段２０の上端部が、玄関土間６の上方に配置されていても、段板２０ｂ，２０ｂ間から玄関土間６に採光を確保できるので、玄関土間６が暗くなるのを防止できる。
【００２４】
また、ストリップ階段２０の上端部が玄関土間６の上方に配置されているので、玄関土間６の床面とストリップ階段２０の上端部との間が、比較的高さの高い空間となり、この空間を物置等として利用できる。
また、ストリップ階段２０の上端部より下の部分が玄関ホール５の上方に配置されているが、この玄関ホール５の上方でかつストリップ階段下の空間は、玄関土間６の床面とストリップ階段２０の上端部との間の高さの高い空間と連続するので、使い勝手がよい。
さらに、ストリップ階段２０が玄関２の一方の側壁２ａに沿って配置されているので、ストリップ階段２０によって玄関２がさほど圧迫されることがない。また、ストリップ階段２０の下端部が、ユニット階段２１の曲り階段２１ａに接続されているので、玄関ホール５の中央部から曲り階段２１ａを介してストリップ階段２０を容易に使用できる。
【００２５】
また、玄関２の正面に設けられた引戸２５が、玄関２の他方の側壁２ｃ側に引かれることにより、玄関２の出入口２４を開放するので、この玄関２の出入口２４からストリップ階段２０の上端部と玄関土間６の床面との間のスペースに、容易に物品を出し入れできる。
また、玄関土間６の上方に、玄関２上の２階の天井まで吹き抜ける吹抜け部２６が設けられているので、この吹抜け部２６から玄関土間６に採光を確保でき、玄関２に、ストリップ階段２０をその上端部が、玄関土間６の上方に位置するよう配置しても、玄関土間６を明るくすることができる。
【図面の簡単な説明】
【００２６】
【図１】本発明に係る玄関構造を備えた住宅の一例を示すもので、住宅の１階の平面図である。
【図２】同、住宅の２階の平面図である。
【図３】同、玄関構造を示す斜視図である。
【符号の説明】
【００２７】
２  玄関
２ａ  一方の側壁
２ｂ  他方の側壁
５  玄関ホール
６  玄関土間
１５  階段
２０  ストリップ階段
２０ａ  中桁
２０ｂ  段板
２１  ユニット階段
２１ａ  曲り階段
２４  出入口
２５  引戸
２６  吹抜け部
【図１】
2009235688.tif 000003
【図２】
2009235688.tif 000004
【図３】
2009235688.tif 000005